(57)【特許請求の範囲】
【請求項１】
台座上に支柱が設けられたボード支持台と、表面に等身大の人物像が描かれた大型ボードと、表面に該大型ボードの人物像の一部が等身大で描かれた小型ボードと、化粧品のテスターを保持するテスター保持具と、販売用の化粧品その他の商品を陳列して保持する商品保持具と、前記商品を吊下げて陳列するフックとにより構成され、
前記ボード支持台の支柱に前記大型ボードを取付け、該大型ボードに前記テスター保持具および／または商品保持具を取付けた保持具付き等身大陳列パターンと、
前記ボード支持台の支柱に前記大型ボードを取付け、該大型ボードの表面に前記フックを有する前記小型ボードを取付けた商品吊下げ式等身大陳列パターンと、
前記ボード支持台の支柱に前記大型ボードのみを取付けた等身大宣伝パターンと、
前記小型ボードの周辺に前記テスター保持具および／または商品保持具を並べて配置した小型ボード利用陳列パターンとからなる４種類のパターンを選択可能に構成してなる化粧品陳列用スタンドセット。
【請求項２】
前記テスター保持具および／または商品保持具の裏面側には、前記大型ボードに取付けるときに引掛ける掛止め部を設ける構成としてなる請求項１に記載の化粧品陳列用スタンドセット。
【請求項３】
前記大型ボードには、前記テスター保持具および／または商品保持具に設けられた前記掛止め部を引掛けるための切込み部を設ける構成としてなる請求項２に記載の化粧品陳列用スタンドセット。
【請求項４】
前記ボード支持台の支柱には、前記大型ボードの取付位置を上，下方向に変更するために、上，下方向に複数個の取付穴を設ける構成としてなる請求項１，２または３に記載の化粧品陳列用スタンドセット。
【請求項５】
前記小型ボードの裏面には、人物像を描く構成としてなる請求項１，２，３または４に記載の化粧品陳列用スタンドセット。
【発明の詳細な説明】
【技術分野】
【０００１】
本発明は、例えば化粧品のテスター、販売用の化粧品を人物像が描かれたボードと一緒に店頭等に陳列するのに用いて好適な化粧品陳列用スタンドセットに関する。
【背景技術】
【０００２】
一般に、化粧品を販売する販売店では、例えば化粧品のテスターを保持するテスター保持具、販売用の化粧品等の商品を保持する商品保持具等を専用の陳列棚に並べている（例えば、特許文献１、特許文献２参照）。また、販売店では、その化粧品を使用したモデル像の写真が印刷された大型ボードを陳列棚の後側や横側に配置することが行われている。
【０００３】
【特許文献１】特開平９−２７６０９７号公報
【特許文献２】特開平１１−２８５４２９号公報
【０００４】
一方、化粧品には、箱に包装されたものの他に、例えば透明なプラスチックケース等に収めたものがあり、このプラスチックケースを用いた商品は、フック等に吊り下げた状態で陳列される（例えば、特許文献３参照）。
【０００５】
【特許文献３】特開２００５−２３０３０３号公報
【０００６】
これにより、販売店に広い売場スペースを確保できる場合には、陳列棚と大型ボードを設置している。一方、広い売場スペースを確保できない場合には、ショーケース上のスペース等を利用し、専用のテスター保持具、商品保持具等を並べ、その後側に小さな写真ボードを立てるようにしている。さらに、売場スペースが殆どない場合には、大きな商品棚の側面にフック付きのボードを掛け、このフックに商品を吊下げて陳列するようにしている。
【発明の開示】
【発明が解決しようとする課題】
【０００７】
このように、商品の陳列方法には数種類あり、これらの陳列方法は、店舗の大きさ、売場全体の配置、陳列する商品数、顧客の流れや反応等によって異なる。そこで、販売店では、陳列棚、大きな写真ボード、フック付のボード、小さな写真ボード等の陳列手段の中から、商品を置く売場の状況に適したものを選んで購入している。
【０００８】
しかし、店舗を改装したり、陳列する商品数を増減したり、また商品の売上げが変化した場合には、商品の陳列方法を適切なものに変更することが望まれる。この場合には、陳列棚、大きな写真ボード、フック付のボード、小さな写真ボード等を新たに購入しなくてはならず、販売店の負担が増大してしまうという問題がある。
【０００９】
本発明は上述した従来技術の問題に鑑みなされたもので、本発明の目的は、新たに品物を購入することなく、化粧品のテスター、販売用の化粧品その他の商品を複数種類の陳列パターンで陳列できるようにした化粧品陳列用スタンドセットを提供することにある。
【課題を解決するための手段】
【００１０】
本発明の請求項１による化粧品陳列用スタンドセットは、台座上に支柱が設けられたボード支持台と、表面に等身大の人物像が描かれた大型ボードと、表面に該大型ボードの人物像の一部が等身大で描かれた小型ボードと、化粧品のテスターを保持するテスター保持具と、販売用の化粧品その他の商品を陳列して保持する商品保持具と、前記商品を吊下げて陳列するフックとにより構成され、前記ボード支持台の支柱に前記大型ボードを取付け、該大型ボードに前記テスター保持具および／または商品保持具を取付けた保持具付き等身大陳列パターンと、前記ボード支持台の支柱に前記大型ボードを取付け、該大型ボードの表面に前記フックを有する前記小型ボードを取付けた商品吊下げ式等身大陳列パターンと、前記ボード支持台の支柱に前記大型ボードのみを取付けた等身大宣伝パターンと、前記小型ボードの周辺に前記テスター保持具および／または商品保持具を並べて配置した小型ボード利用陳列パターンとからなる４種類のパターンを選択可能に構成している。
【００１１】
請求項２の発明によると、前記テスター保持具および／または商品保持具の裏面側には、前記大型ボードに取付けるときに引掛ける掛止め部を設ける構成としたことにある。
【００１２】
請求項３の発明によると、前記大型ボードには、前記テスター保持具および／または商品保持具に設けられた前記掛止め部を引掛けるための切込み部を設ける構成としたことにある。
【００１３】
請求項４の発明によると、前記ボード支持台の支柱には、前記大型ボードの取付位置を上，下方向に変更するために、上，下方向に複数個の取付穴を設ける構成としたことにある。
【００１４】
請求項５の発明によると、前記小型ボードの裏面には、人物像を描く構成としたことにある。
【発明の効果】
【００１５】
請求項１の発明によれば、化粧品陳列用スタンドセットは、ボード支持台の支柱に大型ボードを取付け、該大型ボードにテスター保持具および／または商品保持具を取付けることにより保持具付き等身大陳列パターンを形成することができる。また、ボード支持台の支柱に大型ボードを取付け、該大型ボードの表面にフックを有する小型ボードを取付けることにより商品吊下げ式等身大陳列パターンを形成することができる。一方、ボード支持台の支柱に大型ボードのみを取付けることにより等身大宣伝パターンを形成することができる。さらに、小型ボードの周辺にテスター保持具および／または商品保持具を並べて配置することにより小型ボード利用陳列パターンを形成することができる。
【００１６】
この結果、販売店は、１つの化粧品陳列用スタンドセットを購入するだけで、テスター、商品の陳列パターンを、店舗の大きさ、売場全体の配置、陳列する商品数、顧客の流れや商品に対する反応等に応じて４種類に変化させることができるから、販売店の負担を軽減することができる。また、新たに品物を購入する必要がないから、陳列パターンの変更を短期間で行うことができる。
【００１７】
請求項２の発明によれば、テスター保持具、商品保持具を大型ボードに取付けるときには、裏面側に設けた掛止め部を大型ボードに引掛けることにより、容易に、かつ確実に取付けることができる。
【００１８】
請求項３の発明によれば、大型ボードには切込み部によって簡単に開口を設けることができ、この開口にテスター保持具、商品保持具の掛止め部を引掛けることができる。
【００１９】
請求項４の発明によれば、ボード支持台の支柱には、上，下方向に複数個の取付穴を設けているから、使用する取付穴を選択することにより、大型ボードの取付位置を上，下方向に自由に変更することができる。
【００２０】
請求項５の発明によれば、小型ボードを裏返すことにより人物像を得ることができるから、例えば並べて配置したテスター保持具、商品保持具の後側に立てる宣伝用のボードとして用いることができる。
【発明を実施するための最良の形態】
【００２１】
以下、本発明の実施の形態に係る化粧品陳列用スタンドセットを、図１ないし図２６に従って詳細に説明するものとする。
【００２２】
まず、図１において、１は本実施の形態による化粧品陳列用スタンドセットを示している。この化粧品陳列用スタンドセット１は、後述のボード支持台２に支持された大型ボード３にテスター保持具６，７および商品保持具９，１０を取付けてなる保持具付き等身大陳列パターン２１と、ボード支持台２に支持された大型ボード３に複数個のフック１４を有する小型ボード５を取付けてなる商品吊下げ式等身大陳列パターン２２と、ボード支持台２に大型ボード３のみを取付けてなる等身大宣伝パターン２３と、小型ボード５の前側にテスター保持具６，７と商品保持具９，１０を並べて配置してなる小型ボード利用陳列パターン２４との４種類のパターンを形成することができる。
【００２３】
そして、化粧品陳列用スタンドセット１は、後述のボード支持台２、大型ボード３、小型ボード５、テスター保持具６，７、商品保持具９，１０、フック１４等により大略構成されている。
【００２４】
２は化粧品陳列用スタンドセット１のベースとなるボード支持台で、該ボード支持台２は、大型ボード３を立てた状態で支持するものである。また、ボード支持台２は、図２に示す如く、長方形状の台座２Ａと、該台座２Ａの四隅に取付けられた移動用のキャスタ２Ｂと、前記台座３の前側寄りに左，右方向に離間して立設された２本の支柱２Ｃと、該各支柱２Ｃを連結する複数本の横梁２Ｄと、該各横梁２Ｄのうちの１本の横梁２Ｄから前記台座２Ａの後部に延びた支え棒２Ｅとにより大略構成されている。
【００２５】
ここで、ボード支持台２の各支柱２Ｃは、例えばパイプ部材を用いて形成され、上，下方向の中間部下側寄りの部位で後側に屈曲している。また、各支柱２Ｃには、前記屈曲部と上端部との間にほぼ等間隔で複数個の取付穴２Ｆが前，後方向に貫通して設けられている。この複数個の取付穴２Ｆは、後述する大型ボード３を取付ける取付金具４のねじ軸４Ｂを挿通するものである。従って、取付金具４のねじ軸４Ｂを挿通する取付穴２Ｆを上，下方向に変更することにより、大型ボード３の取付位置を上，下方向に変更することができる。
【００２６】
３はボード支持台２の各支柱２Ｃに取付けられる縦長な大型ボードで、該大型ボード３の表面には、図３に示す如く、後述の商品１８，１９となる化粧品を使用した人物像としてのモデル像３Ａが等身大で印刷されている。ここで、等身大とは、モデル像３Ａをみたときに一般的な人物の大きさ（伸長）として認めることができる寸法であり、モデル像３Ａとなった本人の実際の身長を直接的に示すものではない。なお、モデル像３Ａは、２人の人物から構成しているが、１人または３人以上の人物により構成することもできる。この場合、衣装が異なる同一人物を３人以上並べる構成とすることもできる。
【００２７】
また、大型ボード３の上部には、宣伝用の文字、図形等を表示する宣伝スペース３Ｂが設けられている。さらに、大型ボード３の上，下方向の中間部には、例えば左，右方向に間隔をもって上，下方向に４箇所ずつ、合計８箇所に横長な長方形状の切込み部３Ｃが設けられている。そして、各切込み部３Ｃに沿って開口することにより、この開口部には、後述するテスター保持具６，７、商品保持具９，１０の掛止め部６Ｆ，７Ｆ，９Ｃ，１０Ｃを引掛けることができる。
【００２８】
４は大型ボード３の裏面に取付けられる２個の取付金具で（図４中に図示）、該各取付金具４は、横長な金属板４Ａと、該金属板４Ａの左，右方向に離間して後方に突出した２本のねじ軸４Ｂとにより構成されている。ここで、取付金具４は、その金属板４Ａを大型ボード３の裏面に両面テープ、接着剤等を用いて貼り付け、各ねじ軸４Ｂをボード支持台２の支柱２Ｃに設けられた取付穴２Ｆに挿通する。そして、各ねじ軸４Ｂの突出端にナット（図示せず）を螺着することにより、ボード支持台２の各支柱２Ｃに大型ボード３を固定するものである。
【００２９】
５は大型ボード３と別個に設けられた小型ボードで、該小型ボード５は、大型ボード３の３分の１程度の上，下方向寸法、大型ボード３とほぼ同じ幅寸法をもって形成されている。そして、小型ボード５は、商品２０を吊下げて陳列する場合と、後述するショーケース２５等の上に商品１８，１９等を陳列する場合等に用いられるものである。また、小型ボード５は、その表面側を使用する場合には、図２１に示すように、大型ボード３の上，下方向の中間位置に貼付けられる。これに合わせて小型ボード５の表面には、図５に示す如く、大型ボード３のモデル像３Ａの一部となる胴体部５Ａが等身大で印刷されている。
【００３０】
これにより、小型ボード５を大型ボード３に貼付けたときには、大型ボード３のモデル像３Ａの胴体位置に小型ボード５の胴体部５Ａを重ねることができ、小型ボード５を大型ボード３に違和感なく貼付けることができる。一方、小型ボード５の裏面には、図６に示す如く、大型ボード３のモデル像３Ａと構図が異なる上半身のモデル像５Ｂの写真が印刷されている。なお、モデル像５Ｂは、大型ボード３のモデル像３Ａと同一の人物を使用しているが、異なる人物を使用することができる。また、１人または３人以上の人物により構成することもできる。この場合、衣装が異なる同一人物を３人以上並べる構成とすることもできる。
【００３１】
さらに、小型ボード５の下側寄りには、上，下方向と左，右方向に間隔をもって例えば８箇所に四角形状の切込み部５Ｃが設けられている。そして、各切込み部５Ｃに沿って開口することにより、この開口部には、後述するフック１４を取付けることができる。
【００３２】
６は第１のテスター保持具を示し、該テスター保持具６は、後述する棒状テスター１６を保持するもので、例えば紙、プラスチック等からなる箱体内に発泡樹脂等からなる内容物を収めることにより形成されている。また、第１のテスター保持具６は、図７に示す如く、大型ボード３に取付けたときに、保持している棒状テスター１６やその説明書きがよく見えるように上面６Ａが前方に向け下側に傾斜している。
【００３３】
ここで、第１のテスター保持具６の上面６Ａには、棒状テスター１６を保持するために小さな開口をもって深く形成された複数個の保持穴６Ｂと、右上（右奥）に位置して後述する第３のテスター保持具８を取付ける長方形状の取付座６Ｃとが設けられている。また、取付座６Ｃには、第３のテスター保持具８を固定するための面ファスナ６Ｄが貼付けられている。さらに、図８に示す如く、第１のテスター保持具６の裏面６Ｅには、大型ボード３の切込み部３Ｃによって形成される開口に引掛ける掛止め部６Ｆが取付けられている。
【００３４】
７は第２のテスター保持具を示し、該テスター保持具７は、後述する板状テスター１７を保持するもので、第１のテスター保持具６とほぼ同様に、例えば紙、プラスチック等からなる箱体内に発泡樹脂等からなる内容物を収めることにより形成されている。また、第２のテスター保持具７は、図９に示す如く、大型ボード３に取付けたときに、保持している板状テスター１７やその説明書きがよく見えるように上面７Ａが前方に向け下側に傾斜している。
【００３５】
ここで、第２のテスター保持具７の上面７Ａには、板状テスター１７を並べて保持するために広く浅底な複数個の保持凹部穴７Ｂと、左上（左奥）に位置して後述する第３のテスター保持具８を取付ける長方形状の取付座７Ｃとが設けられている。また、取付座７Ｃには、第３のテスター保持具８を固定するための面ファスナ７Ｄが貼付けられている。さらに、図１０に示す如く、第２のテスター保持具７の裏面７Ｅには、第１のテスター保持具６とほぼ同様に、掛止め部７Ｆが取付けられている。
【００３６】
８は各テスター保持具６，７の取付座６Ｃ，７Ｃにそれぞれ取付けられた２個の第３のテスター保持具を示している。この第３のテスター保持具８の上面８Ａには、図１１に示す如く、棒状テスター１６を保持する保持穴８Ｂと、板状テスター１７を保持する保持凹部８Ｃとが設けられている。ここで、第３のテスター保持具８は、例えば大型ボード３のモデル像３Ａで使用している棒状テスター１６と板状テスター１７を保持するもので、推奨する組合せを顧客に指導するものである。
【００３７】
また、第３のテスター保持具８の裏面８Ｄには、図１２に示すように、テスター保持具６，７の掛止め部６Ｆ，７Ｆとほぼ同様の掛止め部８Ｅが取付けられている。さらに、第３のテスター保持具８の底面には、面ファスナ６Ｄ，７Ｄと対をなす面ファスナ（図示せず）が貼付けられている。
【００３８】
９は棒状化粧品を箱詰めしてなる棒状商品１８を収容する第１の商品保持具を示している。この商品保持具９は、例えば厚紙等を折り込むことにより、十分な強度をもった箱状体として形成されている。また、第１の商品保持具９には、図１３に示す如く、例えば種類（用途、色等）毎に区分けされた複数の収容部９Ａが設けられている。また、第１の商品保持具９は、収容した棒状商品１８が見易く、取出し易いように各収容部９Ａの開口部が前方に向け下側に傾斜している。さらに、第１の商品保持具９の裏面９Ｂには、図１４に示すように掛止め部９Ｃが取付けられている。
【００３９】
１０は板状化粧品を箱詰めしてなる板状商品１９を収容する第２の商品保持具を示している。この商品保持具１０は、第１の商品保持具９とほぼ同様に、例えば厚紙等を折り込むことにより十分な強度をもった箱状体として形成されている。また、第２の商品保持具１０には、図１５に示す如く、例えば左，右に区分けされた収容部１０Ａが設けられ、該収容部１０Ａの開口部は前方に向け下側に傾斜している。さらに、第２の商品保持具１０の裏面１０Ｂには、図１６に示すように掛止め部１０Ｃが取付けられている。
【００４０】
１１はボード支持台２の支柱２Ｃを覆う支柱カバーで、該支柱カバー１１は、図１７に示す如く、例えば紙材を長方形の筒状に折ることにより形成されている。また、支柱カバー１１は、図２６に示す如く、大型ボード３を高い位置に取付けた場合に、支柱２Ｃが前側に露出するのを防止するものである。さらに、支柱カバー１１は、前側上部を内側に折り返すことにより強度の向上を図っている。
【００４１】
１２はボード支持台２の右側方を覆う右側方カバーを示している。この右側方カバー１２は、図１８に示す如く、例えば厚紙等からなり、上部には大型ボード３の傾斜に沿って折り返されたのり代部１２Ａが設けられている。また、１３はボード支持台２の左側方を覆う左側方カバーを示している。この左側方カバー１３は、図１９に示す如く、右側方カバー１２と対称形状をなすもので、上部にはのり代部１３Ａが設けられている。ここで、各側方カバー１２，１３は、宣伝用の文字、図形等を表示する宣伝スペースとして利用することができる。
【００４２】
１４は複数個、例えば８個設けられたフックで、該各フック１４の基端側は、図２２に示すように、小型ボード５の切込み部５Ｃによって形成される開口に取付けることができる。
【００４３】
１５は化粧品陳列用スタンドセット１を構成する紙脚を示している（図１参照）。この紙脚１５は、折曲げ用の筋が引かれた厚紙等からなり、この筋に沿って折曲げることにより、図２５に示す如く、小型ボード５を後側から支持することができる。
【００４４】
次に、陳列する品物について、図２０、図２１を参照して説明する。１６は棒形状をなす複数本の棒状テスターで、該棒状テスター１６としては、ルージュ、マスカラ、リップクリーム等が挙げられる。また、１７は板形状をなす複数枚の板状テスターで、該板状テスター１７としては、皿に充填された粉体化粧料、例えばアイシャドー、ファンデーション等が挙げられる。
【００４５】
一方、１８は販売用の棒状化粧品を細長な箱体等に収めた棒状商品を示している。また、１９は販売用の板状化粧品を薄い箱体等に収めた板状商品を示している。さらに、２０は吊下げ式商品で、この吊下げ式商品２０は、紙製、プラスチック製の容器内に化粧品を収容したもので、上部側をフック１４に引掛けるものである。
【００４６】
次に、化粧品陳列用スタンドセット１を用いて形成することができる複数種類の陳列パターンについて、図２０ないし図２６を参照して順次説明する。
【００４７】
まず、図２０は低設定の保持具付き等身大陳列パターン２１を示している。この保持具付き等身大陳列パターン２１を組立てる場合には、取付金具４が下側に位置するように該取付金具４をボード支持台２の各支柱２Ｃに取付ける。これにより、大型ボード３を低い位置に取付けることができる。
【００４８】
また、大型ボード３に設けられた８箇所の切込み部３Ｃのうち、最上部と３番目の切込み部３Ｃを開口させ、該大型ボード３にテスター保持具６，７と商品保持具９，１０を取付ける。さらに、テスター保持具６，７上に第３のテスター保持具８をそれぞれ取付ける。
【００４９】
なお、図２０に示す保持具付き等身大陳列パターン２１では、第１のテスター保持具６と第２のテスター保持具７を上段に並べて配置し、第１の商品保持具９と第２の商品保持具１０を各テスター保持具６，７の下側となる下段に並べて配置している。しかし、第１のテスター保持具６と第２のテスター保持具７を上段と下段に配置することもできる。また、第１の商品保持具９と第２の商品保持具１０を上段と下段に配置することもできる。また、例えば上段と下段の４箇所に第１のテスター保持具６を配置することもできる。さらに、第１のテスター保持具６を１個配置し、第１の商品保持具９を３個配置することもできる。
【００５０】
このように、第１のテスター保持具６、第２のテスター保持具７、第１の商品保持具９、第２の商品保持具１０は、図２０に示す配置に限定されるものではなく、取付位置、組合せ形態を自由に設定することができるものである。
【００５１】
一方、ボード支持台２の台座２Ａ上に各支柱２Ｃを囲むように支柱カバー１１を配置し、大型ボード３の裏面側の端には、支柱２Ｃの右側，左側に位置して側方カバー１２，１３を貼付けることにより、低設定の保持具付き等身大陳列パターン２１を形成することができる。
【００５２】
次に、図２１は商品吊下げ式等身大陳列パターン２２を示している。この商品吊下げ式等身大陳列パターン２２を組立てる場合には、取付金具４を用いて大型ボード３をボード支持台２の各支柱２Ｃに取付ける。一方、小型ボード５を用意し、該小型ボード５は、図２２に示す如く、胴体部５Ａが印刷された表面側を用いる。そして、小型ボード５の下側には、８箇所の切込み部５Ｃを開口させてフック１４を取付け、上側には、掛止め部８Ｅを端縁に引掛けて２個の第３のテスター保持具８を取付ける。
【００５３】
このように、小型ボード５に８個のフック１４と２個の第３のテスター保持具８を取付けたら、この小型ボード５を大型ボード３の表面に貼付ける。また、ボード支持台２に支柱カバー１１を配置し、大型ボード３に側方カバー１２，１３を貼付けることにより、商品吊下げ式等身大陳列パターン２２を形成することができる。
【００５４】
次に、図２３は等身大宣伝パターン２３を示している。この等身大宣伝パターン２３を組立てる場合には、大型ボード３をボード支持台２の各支柱２Ｃに取付け、支柱カバー１１と各側方カバー１２，１３を取付けることにより、等身大宣伝パターン２３を形成することができる。
【００５５】
次に、図２４は小型ボード利用陳列パターン２４を示している。この小型ボード利用陳列パターン２４を組立てる場合には、ショーケース２５の上側に第３のテスター保持具８が取付けられたテスター保持具６，７を並べて載置し、該各テスター保持具６，７を挟むように商品保持具９，１０を載置する。また、図２５に示すように、小型ボード５の後側に紙脚１５を取付けることにより、各テスター保持具６，７の後側に裏面のモデル像５Ｂを前にして小型ボード５を立てかけることができ、小型ボード利用陳列パターン２４を形成することができる。
【００５６】
なお、小型ボード利用陳列パターン２４は、前述した保持具付き等身大陳列パターン２１と同様に、図２４に示す並び位置、組合せ形態に限定されるものではなく、第１のテスター保持具６、第２のテスター保持具７、第１の商品保持具９、第２の商品保持具１０の並び位置、組合せ形態を自由に設定することができるものである。
【００５７】
次に、図２６は高設定の保持具付き等身大陳列パターン２６を示している。この保持具付き等身大陳列パターン２６を組立てる場合には、取付金具４が上側に位置するように該取付金具４をボード支持台２の各支柱２Ｃに取付ける。これにより、大型ボード３を高い位置に取付けることができる。
【００５８】
また、大型ボード３に設けられた８箇所の切込み部３Ｃのうち、２番目と最下部の切込み部３Ｃを開口させ、該大型ボード３にテスター保持具６，７と商品保持具９，１０を取付ける。さらに、テスター保持具６，７上に第３のテスター保持具８をそれぞれ取付け、支柱カバー１１、側方カバー１２，１３を貼付けることにより、高設定の保持具付き等身大陳列パターン２６を形成することができる。この大型ボード３の高設定仕様は、商品吊下げ式等身大陳列パターン２２、等身大宣伝パターン２３にも適用することができる。
【００５９】
このように、本実施の形態によれば、化粧品陳列用スタンドセット１を、ボード支持台２と、表面に等身大のモデル像３Ａが印刷された大型ボード３と、表面に該大型ボード３のモデル像３Ａの胴体部５Ａが等身大で印刷された小型ボード５と、化粧品のテスター１６，１７を保持するテスター保持具６，７等と、化粧品の商品１８，１９を保持する商品保持具９，１０と、商品２０を吊下げて陳列するフック１４とにより構成している。
【００６０】
従って、１組の化粧品陳列用スタンドセット１は、保持具付き等身大陳列パターン２１、商品吊下げ式等身大陳列パターン２２、等身大宣伝パターン２３および小型ボード利用陳列パターン２４の４種類の陳列パターンを選択して使用することができる。また、モデル像３Ａが印刷された大型ボード３の高さ位置も適宜に変更することができる。
【００６１】
この結果、１つの化粧品陳列用スタンドセット１は、テスター１６，１７、商品１８，１９，２０の陳列パターンを、店舗の大きさ、全体の配置、陳列する商品数、商品１８，１９，２０に対する顧客の反応等に応じて４種類に変化させることができ、高さも変更することができる。これにより、販売店は、１つの化粧品陳列用スタンドセット１を購入するだけでよいから、販売店の負担を軽減することができる。また、陳列パターンを変更するときには、品物を購入する必要がないから、陳列パターンの変更作業を短時間で行うことができる。
【００６２】
また、テスター保持具６，７と商品保持具９，１０の裏面側には、掛止め部６Ｆ，７Ｆ，９Ｃ，１０Ｃを設けているから、テスター保持具６，７と商品保持具９，１０を大型ボード３に取付けるときには、掛止め部６Ｆ，７Ｆ，９Ｃ，１０Ｃを大型ボード３に引掛けることにより、容易に、かつ確実に取付けることができる。
【００６３】
しかも、大型ボード３には、テスター保持具６，７，商品保持具９，１０の掛止め部６Ｆ，７Ｆ，９Ｃ，１０Ｃが係合する開口を形成するための切込み部３Ｃを設けている。これにより、大型ボード３に簡単に開口を設けることができ、この開口を利用してテスター保持具６，７，商品保持具９，１０を正確な位置にしっかりと取付けることができる。
【００６４】
また、ボード支持台２の支柱２Ｃには、上，下方向に複数個の取付穴２Ｆを設けているから、使用する取付穴２Ｆを選択することにより、大型ボード３の取付位置を上，下方向に変更することができる。これにより、低設定の保持具付き等身大陳列パターン２１と高設定の保持具付き等身大陳列パターン２６を形成することができ、陳列パターンを細やかに変更することができる。
【００６５】
一方、小型ボード５を裏返すことにより、表面とは異なる構図の上半身のモデル像５Ｂを得ることができるから、小型ボード５の枚数を削減することができる。また、小型ボード５を小型ボード利用陳列パターン２４に宣伝用のボードとして用いることができる。
【００６６】
また、化粧品陳列用スタンドセット１には、ボード支持台２の支柱２Ｃを覆う支柱カバー１１を設けているから、該支柱カバー１１によって支柱２Ｃを覆い隠すことができ、見栄えを良好にすることができる。
【００６７】
また、化粧品陳列用スタンドセット１には、ボード支持台２の側方に側方カバー１２，１３を設けているから、該各側方カバー１２，１３によって側方を覆い隠すことができ、見栄えを良好にすることができる。また、各側方カバー１２，１３は、文字や図形を記載することにより広告板として利用することもできる。
【００６８】
また、小型ボード５は、その上部に紐を取付けることにより、商品棚の側面部（いずれも図示せず）等にフック１４が取付けられた小型ボード５を掛けることができる。
【００６９】
さらに、ボード支持台２は、大型ボード３を支持するもので頑丈に作られているから、次回の化粧品陳列用スタンドセットにも再利用することができ、販売店の負担を軽減することができる。
【００７０】
なお、実施の形態では、保持具付き等身大陳列パターン２１において、大型ボード３に対し２個のテスター保持具６，７と２個の商品保持具９，１０を取付ける構成とした場合を例に挙げて説明した。しかし、本発明はこれに限らず、テスター保持具６，７のみを大型ボード３に取付ける構成としてもよい。また、商品保持具９，１０のみを大型ボード３に取付ける構成としてもよい。さらに、１個のテスター保持具と１個の商品保持具を大型ボード３に取付ける構成としてもよい。また、テスター保持具、商品保持具は３個以上設ける構成としてもよい。これらの構成は、小型ボード利用陳列パターン２４にも同様に適用することができるものである。
【００７１】
また、実施の形態では、テスター保持具６，７，８の裏面６Ｅ，７Ｅ，８Ｄ，商品保持具９，１０の裏面９Ｂ，１０Ｂの全てに掛止め部６Ｆ，７Ｆ，８Ｅ，９Ｃ，１０Ｃを設けた場合を例に挙げて説明した。しかし、本発明はこれに限るものではなく、例えばテスター保持具６，７，８だけに掛止め部を設ける構成としてもよく、また、商品保持具９，１０だけに掛止め部を設ける構成としてもよい。即ち、掛止め部は、テスター保持具６，７，８、商品保持具９，１０のうち、必要な保持具に適宜に設けることができるものである。
また、実施の形態では、第１のテスター保持具６の取付座６Ｃに面ファスナ６Ｄが貼付け、この面ファスナ６Ｄを使用して第３のテスター保持具８を固定した場合を例示した。しかし、本発明はこれに限らず、例えば面ファスナ６Ｄに代えて、両面テープ、接着剤等を使用して第１のテスター保持具６の取付座６Ｃに第３のテスター保持具８を固定する構成としてもよい。この構成は、第２のテスター保持具７にも同様に適用することができるものである。
【００７２】
さらに、実施の形態では、商品保持具９，１０に化粧品を箱詰めしてなる商品１８，１９を保持した場合を例に挙げて説明した。しかし、本発明はこれに限らず、例えば商品保持具９，１０を、化粧品を収容するケース、化粧方法等を記載した小冊子等の他の商品を保持するのに用いる構成としてもよい。
【図面の簡単な説明】
【００７３】
【図１】本発明の実施の形態に係る化粧品陳列用スタンドセットのセット内容を示す分解斜視図である。
【図２】図１中のボード支持台を拡大して示す外観斜視図である。
【図３】図１中の大型ボードを表面側から拡大して示す正面図である。
【図４】大型ボードの裏面側を示す外観斜視図である。
【図５】図１中の小型ボードを表面側から拡大して示す正面図である。
【図６】小型ボードの裏面側を示す背面図である。
【図７】第１のテスター保持具を拡大して示す外観斜視図である。
【図８】図７に示す第１のテスター保持具を裏面側からみた外観斜視図である。
【図９】第２のテスター保持具を拡大して示す外観斜視図である。
【図１０】図９に示す第２のテスター保持具を裏面側からみた外観斜視図である。
【図１１】第３のテスター保持具を拡大して示す外観斜視図である。
【図１２】図１１に示す第３のテスター保持具を裏面側からみた外観斜視図である。
【図１３】第１の商品保持具を拡大して示す外観斜視図である。
【図１４】図１３に示す第１の商品保持具を裏面側からみた外観斜視図である。
【図１５】第２の商品保持具を拡大して示す外観斜視図である。
【図１６】図１５に示す第２の商品保持具を裏面側からみた外観斜視図である。
【図１７】図１中の支柱カバーを拡大して示す外観斜視図である。
【図１８】図１中の右側方カバーを拡大して示す外観斜視図である。
【図１９】図１中の左側方カバーを拡大して示す外観斜視図である。
【図２０】低設定の保持具付き等身大陳列パターンを示す外観斜視図である。
【図２１】商品吊下げ式等身大陳列パターンを示す外観斜視図である。
【図２２】小型ボードに第３のテスター保持具とフックを取付けている状態を示す組立説明図である。
【図２３】等身大宣伝パターンを示す外観斜視図である。
【図２４】小型ボード利用陳列パターンを示す外観斜視図である。
【図２５】紙脚を折曲げて小型ボードに取付けた状態を示す組立説明図である。
【図２６】高設定の保持具付き等身大陳列パターンを示す外観斜視図である。
【符号の説明】
【００７４】
１  化粧品陳列用スタンドセット
２  ボード支持台
２Ａ  台座
２Ｂ  キャスタ
２Ｃ  支柱
２Ｄ  横梁
２Ｅ  支え棒
２Ｆ  取付穴
３  大型ボード
３Ａ  等身大のモデル像（人物像）
３Ｂ  宣伝スペース
３Ｃ，５Ｃ  切込み部
５  小型ボード
５Ａ  等身大の胴体部
５Ｂ  上半身のモデル像（人物像）
６  第１のテスター保持具
６Ａ，７Ａ，８Ａ  上面
６Ｂ，８Ｂ  保持穴
６Ｃ，７Ｃ  取付座
６Ｄ，７Ｄ  面ファスナ
６Ｅ，７Ｅ，８Ｄ，９Ｂ，１０Ｂ  裏面
６Ｆ，７Ｆ，８Ｅ，９Ｃ，１０Ｃ  掛止め部
７  第２のテスター保持具
７Ｂ，８Ｃ  保持凹部
８  第３のテスター保持具
９  第１の商品保持具
９Ａ，１０Ａ  収容部
１０第２の商品保持具
１４  フック
１６  棒状テスター
１７  板状テスター
１８  棒状商品
１９  板状商品
２０  吊下げ式商品
２１  低設定の保持具付き等身大陳列パターン
２２  商品吊下げ式等身大陳列パターン
２３  等身大宣伝パターン
２４  小型ボード利用陳列パターン
２５  ショーケース
２６  高設定の保持具付き等身大陳列パターン
【図１】
0004515997.tif 000002
【図２】
0004515997.tif 000003
【図３】
0004515997.tif 000004
【図４】
0004515997.tif 000005
【図５】
0004515997.tif 000006
【図６】
0004515997.tif 000007
【図７】
0004515997.tif 000008
【図８】
0004515997.tif 000009
【図９】
0004515997.tif 000010
【図１０】
0004515997.tif 000011
【図１１】
0004515997.tif 000012
【図１２】
0004515997.tif 000013
【図１３】
0004515997.tif 000014
【図１４】
0004515997.tif 000015
【図１５】
0004515997.tif 000016
【図１６】
0004515997.tif 000017
【図１７】
0004515997.tif 000018
【図１８】
0004515997.tif 000019
【図１９】
0004515997.tif 000020
【図２０】
0004515997.tif 000021
【図２１】
0004515997.tif 000022
【図２２】
0004515997.tif 000023
【図２３】
0004515997.tif 000024
【図２４】
0004515997.tif 000025
【図２５】
0004515997.tif 000026
【図２６】
0004515997.tif 000027